(57)【要約】【課題】足細効果が得られるボトム衣類を容易に廉価に生産する。【解決手段】表面側に位置するジャカード編成組織と、裏面側に位置し、全ての編目位置においてループが形成されている支持組織と、を備える編地から形成された、ボトム衣類である。ジャカード編成組織は、光沢組織Ｇおよび非光沢組織Ｆを含む。光沢組織Ｇは、非光沢組織Ｆに比べて、シンカーループが長いことによって編成糸に負荷される張力が高いことにより、編成糸の乱反射率が低い。ボトム衣類を正面から見て、ボトム衣類の両足を覆う部分の各々において中央部Ｃから端部Ｅに行くに従って、単位面積当たりの非光沢組織Ｆの占有率は増加し、かつ、単位面積当たりの光沢組織Ｇの占有率は減少している。【選択図】図４
2018100453.tif 000002
【特許請求の範囲】
【請求項１】
表面側に位置するジャカード編成組織と、裏面側に位置し、全ての編目位置においてループが形成されている支持組織と、を備える編地から形成された、ボトム衣類であって、
前記ジャカード編成組織は、光沢組織および非光沢組織を含み、
前記光沢組織は、前記非光沢組織に比べて、シンカーループが長いことによって編成糸に負荷される張力が高いことにより、前記編成糸の乱反射率が低く、
前記ボトム衣類を正面から見て、前記ボトム衣類の両足を覆う部分の各々において中央部から端部に行くに従って、単位面積当たりの前記非光沢組織の占有率は増加し、かつ、単位面積当たりの前記光沢組織の占有率は減少している、ボトム衣類。
【請求項２】
前記ボトム衣類を背面から見て、前記ボトム衣類の両足を覆う部分の各々において中央部から端部に行くに従って、単位面積当たりの前記非光沢組織の占有率は増加し、かつ、単位面積当たりの前記光沢組織の占有率は減少している、請求項１に記載のボトム衣類。
【発明の詳細な説明】
【技術分野】
【０００１】
本発明は、ボトム衣類に関する。
【背景技術】
【０００２】
脚を細く見せるストッキングを開示した先行文献として、特開平１０−３３１００１号公報(特許文献１)および特開２００６−１３２０６４号公報(特許文献２)がある。
【０００３】
特許文献１に記載されたストッキングは、同一端面の円周で脚の周辺湾曲域の繊維の編み目の度目が脚の正背面中央域の繊維の編み目の度目よりも小さく設定された領域を有する。
【０００４】
特許文献２に記載されたストッキングは、柄および模様の大きさを外側にいくほど小さくすることにより、太っている部分の柄および模様の広がりを見た目で感じさせなくして、足細効果を得ようとしている。また、生地の色の配色を変えてグラデーションを付加する、または、ラメ若しくは光パウダーなどによる色の配色効果および光の反射効果を付加することにより、足細効果を得ようとしている。
【先行技術文献】
【特許文献】
【０００５】
【特許文献１】特開平１０−３３１００１号公報
【特許文献２】特開２００６−１３２０６４号公報
【発明の概要】
【発明が解決しようとする課題】
【０００６】
特許文献１，２は、ストッキングに関する技術であり、ストッキングより生地が厚い、パンツおよびスカートなどのボトム衣類においては、編み目の度目の粗密差による色の濃淡差が生じにくい。
【０００７】
生地の色の配色を変えてグラデーションを付加する場合は、染色工程が複雑となり、ラメ若しくは光パウダーなどによる色の配色効果および光の反射効果を付加する場合は、ラメ糸を使用することにより材料コストが増加し、または、グリッター加工などの追加工程が必要となり製造コストが増加する。
【０００８】
本発明は上記の問題点に鑑みてなされたものであって、容易に廉価に生産可能で、足細効果が得られる、ボトム衣類を提供することを目的とする。
【課題を解決するための手段】
【０００９】
本発明に基づくボトム衣類は、表面側に位置するジャカード編成組織と、裏面側に位置し、全ての編目位置においてループが形成されている支持組織と、を備える編地から形成された、ボトム衣類である。ジャカード編成組織は、光沢組織および非光沢組織を含む。光沢組織は、非光沢組織に比べて、シンカーループが長いことによって編成糸に負荷される張力が高いことにより、編成糸の乱反射率が低い。ボトム衣類を正面から見て、ボトム衣類の両足を覆う部分の各々において中央部から端部に行くに従って、単位面積当たりの非光沢組織の占有率は増加し、かつ、単位面積当たりの光沢組織の占有率は減少している。
【００１０】
本発明の一形態においては、ボトム衣類を背面から見て、ボトム衣類の両足を覆う部分の各々において中央部から端部に行くに従って、単位面積当たりの非光沢組織の占有率は増加し、かつ、単位面積当たりの光沢組織の占有率は減少している。
【発明の効果】
【００１１】
本発明によれば、足細効果が得られるボトム衣類を容易に廉価に生産できる。
【図面の簡単な説明】
【００１２】
【図１】本発明の一実施形態に係るボトム衣類の外観を示す正面図である。
【図２】本発明の一実施形態に係るボトム衣類の外観を示す背面図である。
【図３】本発明の一実施形態に係るボトム衣類の生地となる編地の編成に用いられる、ジャカード筬、支持組織を編成する第２筬および第３筬の各々の基本動作の基本単位を示す編成組織図である。
【図４】図１，２のボトム衣類のＩＶ部のジャカード編成組織における、光沢組織と非光沢組織との配置を示す図である。
【図５】光沢組織を構成するジャカード編成組織の変化組織を示す編成組織図である。
【図６】非光沢組織を構成するジャカード編成組織の変化組織を示す編成組織図である。
【図７】第１変形例に係るボトム衣類のジャカード編成組織における、光沢組織と非光沢組織との配置を示す図である。
【図８】第２変形例に係るボトム衣類のジャカード編成組織における、光沢組織と非光沢組織との配置を示す図である。
【発明を実施するための形態】
【００１３】
以下、本発明の一実施形態に係るボトム衣類について図を参照して説明する。以下の実施形態の説明においては、図中の同一または相当部分には同一符号を付して、その説明は繰返さない。本実施形態の説明においては、ボトム衣類の例として、ストレッチパンツについて説明するが、ボトム衣類は、他のパンツでもよいし、タイトスカートなどのスカートでもよい。
【００１４】
本発明の一実施形態に係るボトム衣類１は、表面側に位置するジャカード編成組織と、裏面側に位置し、全ての編目位置においてループが形成されている支持組織と、を備える編地から形成された、ボトム衣類である。
【００１５】
図１は、本発明の一実施形態に係るボトム衣類の外観を示す正面図である。図２は、本発明の一実施形態に係るボトム衣類の外観を示す背面図である。図１，２に示すように、ボトム衣類１は、両足を覆う部分を有する。
【００１６】
図１においては、ボトム衣類１を正面から見て、両足を覆う部分の各々の中央線を一点鎖線で示し、中央線が位置する中央部Ｃから端部Ｅに行く方向を矢印で示している。図２においては、ボトム衣類１を背面から見て、両足を覆う部分の各々の中央線を一点鎖線で示し、中央線が位置する中央部Ｃから離れて端部Ｅに行く方向を矢印で示している。
【００１７】
ボトム衣類１の生地となる編地の編成装置としては、たとえば、カールマイヤー社製のＲＳＪ５／１ラッシェル機を用いることができる。カールマイヤー社製のＲＳＪ５／１ラッシェル機は、分割タイプのジャカード筬を装備している。独立制御される２枚のジャカード筬の各々は、ハーフゲージでセットされる。２枚のジャカード筬が、１枚の完全な機械ゲージを構成する。ジャカード筬には、ピエゾエレメントが取り付けられている。ピエゾエレメントに電気信号が印加されることにより、ジャカードガイドが横方向のいずれか一方に１針分だけ変位するように制御される。
【００１８】
ただし、編成装置は、カールマイヤー社製のＲＳＪ５／１に限られず、ジャカード機構を備えた編成装置であればよく、編成装置が備える制御機構および筬振り機構の各々の構成は、特に制限されない。
【００１９】
ボトム衣類１の生地となる編地は、ジャカード筬ＰＪＢ、支持組織を編成する第２筬Ｇ２および第３筬Ｇ３の３枚の筬を用いて編成される。ただし、ボトム衣類１の生地となる編地の編成に用いられる筬の数は、３枚に限られず、２枚または４枚以上であってもよい。
【００２０】
たとえば、支持組織を１枚の筬で編成し、ジャカード筬および支持組織を編成する筬の２枚の筬で編地を編成してもよい。または、ジャカード筬および支持組織を編成する筬以外の他の筬を用いて、弾性糸を挿入または編み込みしてもよいし、非弾性糸をパイル組織として編成または挿入してもよい。若しくは、支持組織を、２枚の筬で編成するのではなく、一体として組み合わされた３枚以上の筬で編成してもよい。
【００２１】
図３は、本発明の一実施形態に係るボトム衣類の生地となる編地の編成に用いられる、ジャカード筬、支持組織を編成する第２筬および第３筬の各々の基本動作の基本単位を示す編成組織図である。図３に示すように、ジャカード筬ＰＪＢには、非弾性糸１０が糸通しされている。支持組織を編成する第２筬Ｇ２には、非弾性糸２０が糸通しされており、第３筬Ｇ３には、弾性糸３０が糸通しされている。
【００２２】
本実施形態においては、非弾性糸１０は、材料がレギュラーポリエステル、太さが４４ｄｔｅｘ−２４ｆである、丸断面のブライト繊維からなる。ただし、非弾性糸１０の材料は、レギュラーポリエステルに限られず、カチオン可染などの改質ポリエステル、ナイロン６またはナイロン６，６などの合成繊維、レーヨン若しくはアセテートなどの再生繊維、または、綿などの天然繊維でもよい。非弾性糸１０は、フィラメント糸に限られず、紡績糸、交撚糸または加工糸などでもよい。非弾性糸１０の太さは、特に制限されない。
【００２３】
非弾性糸２０は、材料がレギュラーポリエステル、太さが８４ｄｔｅｘ−３６ｆである、ウーリー加工された丸断面のブライト繊維からなる。ただし、非弾性糸２０の材料は、レギュラーポリエステルに限られず、カチオン可染などの改質ポリエステル、ナイロン６またはナイロン６，６などの合成繊維、レーヨン若しくはアセテートなどの再生繊維、または、綿などの天然繊維でもよい。非弾性糸２０は、フィラメント糸に限られず、紡績糸、交撚糸または加工糸などでもよい。非弾性糸２０の太さは、特に制限されない。
【００２４】
弾性糸３０は、材料がポリウレタン、太さが４４ｄｔｅｘである、クリアタイプの繊維からなる。ただし、弾性糸３０の材料は、ポリウレタンに限られず、他の弾性繊維でもよい。弾性糸３０の太さは、特に制限されない。
【００２５】
図３に示すように、ジャカード筬ＰＪＢの基本動作は、１２／１０／／の繰り返し単位を有する。支持組織を編成する第２筬Ｇ２の基本動作は、１０／２３／／の繰り返し単位を有する。支持組織を編成する第３筬Ｇ３の基本動作は、１２／１０／／の繰り返し単位を有する。
【００２６】
図４は、図１，２のボトム衣類のＩＶ部のジャカード編成組織における、光沢組織と非光沢組織との配置を示す図である。図４に示すように、ジャカード編成組織は、光沢組織Ｇおよび非光沢組織Ｆを含む。本実施形態においては、光沢組織Ｇは、複数の矩形状に配置され、非光沢組織Ｆは、格子状に配置されている。中央部Ｃから端部Ｅに行くに従って、光沢組織Ｇの格子の大きさは小さくなり、非光沢組織Ｆの線幅は太くなっている。
【００２７】
図１，４に示すように、ボトム衣類１を正面から見て、ボトム衣類１の両足を覆う部分の各々において中央部Ｃから端部Ｅに行くに従って、単位面積当たりの非光沢組織Ｆの占有率は増加し、かつ、単位面積当たりの光沢組織Ｇの占有率は減少している。
【００２８】
図２，４に示すように、ボトム衣類１を背面から見て、ボトム衣類１の両足を覆う部分の各々において中央部Ｃから端部Ｅに行くに従って、単位面積当たりの非光沢組織Ｆの占有率は増加し、かつ、単位面積当たりの光沢組織Ｇの占有率は減少している。
【００２９】
図５は、光沢組織を構成するジャカード編成組織の変化組織を示す編成組織図である。図６は、非光沢組織を構成するジャカード編成組織の変化組織を示す編成組織図である。図５，６においては、シンカーループをＳ、ニードルループをＮで示している。シンカーループＳは、編地の表面側に位置し、ニードルループＮは、編地の裏面側に位置する。
【００３０】
図５に示すように、光沢組織Ｇにおけるジャカード筬ＰＪＢの変化組織は、２３／１０／／の繰り返し単位を有する。光沢組織Ｇにおいては、ジャカード筬ＰＪＢの変位により、シンカーループＳが、図３に示すジャカード筬ＰＪＢの基本動作に比較して長くなっている。なお、光沢組織ＧのシンカーループＳを形成する際の非弾性糸１０の給糸量は、基本動作時と同じである。そのため、光沢組織Ｇを編成している非弾性糸１０に負荷される張力が高くなる。非弾性糸１０に負荷される張力が高くなると、非弾性糸１０の乱反射率が低くなり、光沢が高くなる。
【００３１】
図６に示すように、非光沢組織Ｆにおけるジャカード筬ＰＪＢの変化組織は、１２／２１／／の繰り返し単位を有する。非光沢組織Ｆにおいては、ジャカード筬ＰＪＢの変位により、シンカーループＳが、図３に示すジャカード筬ＰＪＢの基本動作に比較して短くなっている。なお、非光沢組織ＦのシンカーループＳを形成する際の非弾性糸１０の給糸量は、基本動作時と同じである。そのため、非光沢組織Ｆを編成している非弾性糸１０に負荷される張力が低くなる。非弾性糸１０に負荷される張力が低くなると、非弾性糸１０の乱反射率が高くなり、光沢が低くなる。
【００３２】
よって、光沢組織Ｇは、非光沢組織Ｆに比べて、シンカーループＳが長いことによって編成糸に負荷される張力が高いことにより、編成糸の乱反射率が低い。本実施形態においては、光沢組織Ｇでは図５に示すようにジャカード筬ＰＪＢが変位しつつ、非光沢組織Ｆでは図６に示すようにジャカード筬ＰＪＢが変位しているが、光沢組織Ｇおよび非光沢組織Ｆにおけるジャカード筬ＰＪＢの動作はこれに限られない。
【００３３】
たとえば、光沢組織Ｇにおいては図５に示すようにジャカード筬ＰＪＢが変位しつつ、非光沢組織Ｆにおいてはジャカード筬ＰＪＢが図３に示すように基本動作していてもよい。または、光沢組織Ｇにおいてはジャカード筬ＰＪＢが図３に示すように基本動作しつつ、非光沢組織Ｆにおいては図６に示すようにジャカード筬ＰＪＢが変位していてもよい。
【００３４】
本実施形態に係るボトム衣類１においては、正面から見て、ボトム衣類１の両足を覆う部分の各々において中央部Ｃから端部Ｅに行くに従って、単位面積当たりの非光沢組織Ｆの占有率は増加し、かつ、単位面積当たりの光沢組織Ｇの占有率は減少していることにより、両足を覆う部分の各々の端部Ｅの光沢が低くなり、ボトム衣類１の正面視における足細効果を得ることができる。
【００３５】
同様に、ボトム衣類１を背面から見て、ボトム衣類１の両足を覆う部分の各々において中央部Ｃから端部Ｅに行くに従って、単位面積当たりの非光沢組織Ｆの占有率は増加し、かつ、単位面積当たりの光沢組織Ｇの占有率は減少していることにより、両足を覆う部分の各々の端部Ｅの光沢が低くなり、ボトム衣類１の背面視における足細効果を得ることができる。なお、ボトム衣類１を背面から見た場合のジャカード編成組織の構成は、必ずしも上記に限られない。
【００３６】
本実施形態に係るボトム衣類１においては、ジャカード編成組織の光沢組織と非光沢組織との配置割合を中央部Ｃから端部Ｅに行くに従って変更するのみで足細効果が得られるため、容易に廉価に生産可能である。
【００３７】
シンカーループＳは編地の表面側に位置するため、シンカーループＳが長い光沢組織Ｇは、シンカーループＳの短い非光沢組織Ｆに比較して、編地の表面側に凸状となる。その結果、光沢組織Ｇと非光沢組織Ｆとの凹凸が形成され、光沢の差異をさらに強調することができる。
【００３８】
なお、本実施形態に係るボトム衣類１の柄は、図４に示す格子状に限られず、種々の変更が可能である。以下、本実施形態の変形例に係るボトム衣類の柄について説明する。
【００３９】
図７は、第１変形例に係るボトム衣類のジャカード編成組織における、光沢組織と非光沢組織との配置を示す図である。図８は、第２変形例に係るボトム衣類のジャカード編成組織における、光沢組織と非光沢組織との配置を示す図である。
【００４０】
図７に示すように、第１変形例に係るボトム衣類のジャカード編成組織は、光沢組織Ｇおよび非光沢組織Ｆを含む。第１変形例においては、光沢組織Ｇおよび非光沢組織Ｆは、互いに鋭角に交差する斜め線のストライプ状に配置されている。中央部Ｃから端部Ｅに行くに従って、光沢組織Ｇの線幅は細くなり、非光沢組織Ｆの線幅は太くなっている。その結果、ボトム衣類を正面から見て、ボトム衣類の両足を覆う部分の各々において中央部Ｃから端部Ｅに行くに従って、単位面積当たりの非光沢組織Ｆの占有率は増加し、かつ、単位面積当たりの光沢組織Ｇの占有率は減少している。
【００４１】
図８に示すように、第２変形例に係るボトム衣類のジャカード編成組織は、光沢組織Ｇおよび非光沢組織Ｆを含む。第２変形例においては、光沢組織Ｇおよび非光沢組織Ｆは、中央線に沿う方向に延在する線からなる縞状に配置されている。中央部Ｃから端部Ｅに行くに従って、光沢組織Ｇの線幅は細くなり、非光沢組織Ｆの線幅は太くなっている。その結果、ボトム衣類を正面から見て、ボトム衣類の両足を覆う部分の各々において中央部Ｃから端部Ｅに行くに従って、単位面積当たりの非光沢組織Ｆの占有率は増加し、かつ、単位面積当たりの光沢組織Ｇの占有率は減少している。
【００４２】
なお、今回開示した上記実施形態はすべての点で例示であって、限定的な解釈の根拠となるものではない。したがって、本発明の技術的範囲は、上記した実施形態のみによって解釈されるものではなく、特許請求の範囲の記載に基づいて画定される。また、特許請求の範囲と均等の意味および範囲内でのすべての変更が含まれる。
【符号の説明】
【００４３】
１  ボトム衣類、１０，２０  非弾性糸、３０  弾性糸、Ｃ  中央部、Ｅ  端部、Ｆ  非光沢組織、Ｇ  光沢組織、Ｇ２  第２筬、Ｇ３  第３筬、Ｎ  ニードルループ、ＰＪＢ  ジャカード筬、Ｓ  シンカーループ。
【図１】
2018100453.tif 000003
【図２】
2018100453.tif 000004
【図３】
2018100453.tif 000005
【図４】
2018100453.tif 000006
【図５】
2018100453.tif 000007
【図６】
2018100453.tif 000008
【図７】
2018100453.tif 000009
【図８】
2018100453.tif 000010